(57)【要約】【課題】上顎用と下顎用の入れ歯を弾性的に連結して、上顎用入れ歯の移動を防止して安定化させる入れ歯安定具を提供するものである。【解決手段】上顎用と下顎用の入れ歯２、３の、上下の第２および第３大臼歯４、４にそれぞれ横方向の凹溝５、５を形成し、この凹溝５、５に、線状のスプリング６を湾曲して形成した連結部材７の端部をそれぞれ挿着して、上下顎用の両入れ歯２、３を連結し、上顎用入れ歯２の移動を防止したことを特徴とするものである。【選択図】  図２
2006314664.tif 000002
【特許請求の範囲】
【請求項１】
上顎用と下顎用の入れ歯の、上下の大臼歯にそれぞれ凹溝を形成し、この凹溝に、線状のスプリングまたは板バネを湾曲して形成した連結部材の端部をそれぞれ挿着して、上下顎用の両入れ歯を連結し、上顎用入れ歯の移動を防止したことを特徴とする入れ歯安定具。
【請求項２】
上顎用と下顎用の入れ歯の、上下の大臼歯にそれぞれ凹溝を形成し、この凹溝に、スプリングを内蔵して上下の突起部が弾性的に支持された連結部材の前記突起部をそれぞれ挿着して、上下顎用の両入れ歯を連結し、上顎用入れ歯の移動を防止したことを特徴とする入れ歯安定具。
【発明の詳細な説明】
【技術分野】
【０００１】
本発明は、入れ歯の移動を防止した入れ歯安定具に関するものである。
【背景技術】
【０００２】
一般に歯が抜けた時に、これを補うため入れ歯を装着することが行なわれている。１〜３本程度歯が抜けた時には、ブリッジ方式の入れ歯を装着したり、人工の歯冠と人工の歯根を備えたインプラントを顎の骨に埋め込むことが行なわれている。また３本以上歯が抜けた時には、部分入れ歯を装着し、全ての歯が抜けた時には、総入れ歯を装着することが行なわれている。この部分入れ歯や総入れ歯を装着した時に、上顎用の入れ歯がずり落ちたり動くことがある。
【０００３】
このような状態になると食べ物が良く噛めなかったり、話せなくなることがある。このため接着性の入れ歯安定剤を塗って上顎用の入れ歯を固定することも行なわれているが、長期間に亘って繰り返し使用していると、歯ぐきが痛んできて、その保持時間が次第に短くなり、遂には入れ歯自体を装着できなくなる問題がある。
【発明の開示】
【発明が解決しようとする課題】
【０００４】
本発明は上記問題を改善し、上顎用と下顎用の入れ歯を弾性的に連結して、上顎用入れ歯の移動を防止して安定化させ、現在使用中のものにも簡単に取り付けることができる入れ歯安定具を提供するものである。
【課題を解決するための手段】
【０００５】
本発明の請求項１記載の入れ歯安定具は、上顎用と下顎用の入れ歯の、上下の大臼歯にそれぞれ凹溝を形成し、この凹溝に、線状のスプリングまたは板バネを湾曲して形成した連結部材の端部をそれぞれ挿着して、上下顎用の両入れ歯を連結し、上顎用入れ歯の移動を防止したことを特徴とするものである。
【０００６】
本発明の請求項２記載の入れ歯安定具は、上顎用と下顎用の入れ歯の、上下の大臼歯にそれぞれ凹溝を形成し、この凹溝に、スプリングを内蔵して上下の突起部が弾性的に支持された連結部材の前記突起部をそれぞれ挿着して、上下顎用の両入れ歯を連結し、上顎用入れ歯の移動を防止したことを特徴とするものである。
【発明の効果】
【０００７】
請求項１記載の入れ歯安定具によれば、上顎用の入れ歯と下顎用の入れ歯の上下の大臼歯が線状のスプリングまたは板バネで形成された連結部材で弾性的に連結されているので、上顎用の入れ歯を常時上方に押し上げる力が作用して、上顎用の入れ歯のずれや落下など移動を阻止して安定させることができ、食べ物を良く噛めると共に、通常に話すことができる。また大臼歯に凹溝を形成して、ここに連結部材を嵌合させるだけなので、現在使用中の入れ歯にも簡単に取り付けることができる。
【０００８】
また請求項２記載の入れ歯安定具によれば、スプリングを内蔵して、上下の突起部が弾性的に支持された連結部材の突起部を、大臼歯に形成した凹溝に挿着して、上下顎用の両入れ歯を連結したので、上顎用入れ歯の移動を確実に防止することができる。
【発明を実施するための最良の形態】
【０００９】
以下本発明の実施の一形態を図１ないし図４を参照して詳細に説明する。図１において１は入れ歯安定具を示すもので、上顎用の入れ歯２と、下顎用の入れ歯３の上下の第２および第３大臼歯４、４の左右に、図３および図４に示すようにそれぞれ凹溝５、５を横方向に形成し、この凹溝５に、線状のスプリング６をε状に湾曲して形成した連結部材７の端部をそれぞれ挿着して、上顎用の入れ歯２と、下顎用の入れ歯３を連結したものである。
【００１０】
上記構成の入れ歯安定具１は、上顎用の入れ歯２と下顎用の入れ歯３の上下の第２および第３大臼歯４、４が線状のスプリング６で形成された連結部材７で弾性的に連結されているので、上顎用の入れ歯２を常時上方に押し上げる力が作用して、上顎用の入れ歯２のずれや落下など移動を阻止して安定させることができる。
【００１１】
また上記入れ歯安定具は、上顎用の入れ歯２と下顎用の入れ歯３を作製する時に連結部材７を一体に取付けても良いが、現在使用中の入れ歯が不具合になった時にも、第２および第３大臼歯に凹溝５を形成して、ここに連結部材７を嵌合させるだけなので、使用中の入れ歯にも簡単に取り付けることができる。
【００１２】
図５は本発明の他の実施の形態を示すもので、連結部材７が板バネ８をＶ形状に湾曲して形成され、この両端部を上顎用の入れ歯２と下顎用の入れ歯３の上下の第２および第３大臼歯４、４に横方向に形成した凹溝５、５にそれぞれ挿着して、上顎用の入れ歯２と、下顎用の入れ歯３を連結して、上顎用の入れ歯２を安定させたものである。
【００１３】
図６は本発明の他の実施の形態を示すもので、連結部材７が線状のスプリング６をケース９に内蔵して、ケース９の上下の突起部１０、１０が弾性的に支持された構成をなしている。上顎用の入れ歯２と下顎用の入れ歯３の上下の第３大臼歯４に形成した縦方向の凹溝５、５にそれぞれ突起部１０、１０を挿着して連結し、上顎用の入れ歯２を常時上方に押し上げて、上顎用の入れ歯２のずれや落下など移動を阻止して安定させることができる。
【００１４】
なお上記説明では、第２および第３大臼歯に連結部材を取付けた場合について示したが、第３大臼歯だけ、あるいは第１から第３大臼歯に連結部材を取付けた構造でも良い。また上記説明では、総入れ歯に適用した場合について示したが、大臼歯がある、部分入れ歯にも適用することができる。
【図面の簡単な説明】
【００１５】
【図１】本発明の実施の一形態による入れ歯安定具で上顎用の入れ歯と下顎用の入れ歯を連結した状態を示す斜視図である。
【図２】図１の側面図である。
【図３】図２の要部縦断側面図である。
【図４】図３の要部縦断正面図である。
【図５】本発明の他の実施の形態によるＶ形状の入れ歯安定具で、上顎用の入れ歯と下顎用の入れ歯を連結した状態を示す要部縦断側面図である。
【図６】本発明の異なる他の実施の形態による入れ歯安定具で、上顎用の入れ歯と下顎用の入れ歯を連結した状態を示す要部縦断正面図である。
【符号の説明】
【００１６】
１  入れ歯安定具                                            
２  上顎用の入れ歯                                          
３  下顎用の入れ歯                                          
４  大臼歯                                                  
５  凹溝                                                    
６  スプリング                                              
７  連結部材                                                
８  板バネ                                                  
９  ケース                                                  
１０  突起部  
【図１】
2006314664.tif 000003
【図２】
2006314664.tif 000004
【図３】
2006314664.tif 000005
【図４】
2006314664.tif 000006
【図５】
2006314664.tif 000007
【図６】
2006314664.tif 000008